(57)【特許請求の範囲】
【請求項１】
画像データを入力する入力部と、
前記画像データを縮小したサムネイル画像を表示する第１表示部と、
前記サムネイル画像の選択を含む印刷注文の入力を受け付ける受付部と、
画像に合成される複数のフレームを記憶する記憶部と、
選択サムネイル画像の画像データから該画像データの特性情報を取得し、該特性情報に基づいて前記記憶部からフレームを抽出する抽出部と、
前記抽出されたフレームを表示する第２表示部と、
前記印刷注文に基づいて前記画像データを印刷するプリンタと、
を備え、
前記第２表示部に表示したフレームが選択されると、前記第１表示部は、前記選択サムネイル画像と選択フレームとを合成した合成画像を含む編集画面を表示し、
前記記憶部に記憶されているフレームにはカテゴリ情報が対応付けられており、
前記抽出部は、前記画像データのシーン解析処理を行い前記特性情報としてカテゴリを取得し、該カテゴリに対応するフレームを抽出することを特徴とする画像プリント装置。
【請求項２】
画像データを入力する入力部と、
前記画像データを縮小したサムネイル画像を表示する第１表示部と、
前記サムネイル画像の選択を含む印刷注文の入力を受け付ける受付部と、
画像に合成される複数のフレームを記憶する記憶部と、
選択サムネイル画像の画像データから該画像データの特性情報を取得し、該特性情報に基づいて前記記憶部からフレームを抽出する抽出部と、
前記抽出されたフレームを表示する第２表示部と、
前記印刷注文に基づいて前記画像データを印刷するプリンタと、
を備え、
前記第２表示部に表示したフレームが選択されると、前記第１表示部は、前記選択サムネイル画像と選択フレームとを合成した合成画像を含む編集画面を表示し、
前記第２表示部は、前記第１表示部の上方に設けられ、
前記第２表示部に表示するフレームに、前記選択サムネイル画像を合成するか否か切り替えることができることを特徴とする画像プリント装置。
【請求項３】
前記第２表示部は、前記サムネイル画像の選択によらずにフレームを表示する第１領域と、前記抽出部により抽出されたフレームを表示する第２領域とを有することを特徴とする請求項１又は２に記載の画像プリント装置。
【請求項４】
前記記憶部に記憶されているフレームには日時情報が対応付けられており、
前記抽出部は、前記特性情報として前記画像データから撮影日時を取得し、該撮影日時を日時情報に含むフレームを抽出することを特徴とする請求項１乃至３のいずれかに記載の画像プリント装置。
【請求項５】
前記記憶部に記憶されているフレームには位置情報が対応付けられており、
前記抽出部は、前記特性情報として前記画像データから撮影場所を取得し、該撮影場所を位置情報に含むフレームを抽出することを特徴とする請求項１乃至４のいずれかに記載の画像プリント装置。
【請求項６】
画像データを入力する入力部と、
前記画像データを縮小したサムネイル画像を表示する第１表示部と、
前記サムネイル画像の選択を含む印刷注文の入力を受け付ける受付部と、
画像に合成される複数のフレームを記憶する記憶部と、
選択サムネイル画像の画像データから該画像データの特性情報を取得し、該特性情報に基づいて前記記憶部からフレームを抽出する抽出部と、
前記抽出されたフレームを表示する第２表示部と、
画像データ及び印刷注文を外部へ送信する通信部と、
を備え、
前記第２表示部に表示したフレームが選択されると、前記第１表示部は、前記選択サムネイル画像と選択フレームとを合成した合成画像を含む編集画面を表示し、前記通信部は編集された画像データを外部へ送信し、
前記記憶部に記憶されているフレームにはカテゴリ情報が対応付けられており、
前記抽出部は、前記画像データのシーン解析処理を行い前記特性情報としてカテゴリを取得し、該カテゴリに対応するフレームを抽出することを特徴とする注文受付端末。
【請求項７】
画像データを入力する入力部と、
前記画像データを縮小したサムネイル画像を表示する第１表示部と、
前記サムネイル画像の選択を含む印刷注文の入力を受け付ける受付部と、
画像に合成される複数のフレームを記憶する記憶部と、
選択サムネイル画像の画像データから該画像データの特性情報を取得し、該特性情報に基づいて前記記憶部からフレームを抽出する抽出部と、
前記抽出されたフレームを表示する第２表示部と、
画像データ及び印刷注文を外部へ送信する通信部と、
を備え、
前記第２表示部に表示したフレームが選択されると、前記第１表示部は、前記選択サムネイル画像と選択フレームとを合成した合成画像を含む編集画面を表示し、前記通信部は編集された画像データを外部へ送信し、
前記第２表示部は、前記第１表示部の上方に設けられ、
前記第２表示部に表示するフレームに、前記選択サムネイル画像を合成するか否か切り替えることができることを特徴とする注文受付端末。
【発明の詳細な説明】
【技術分野】
【０００１】
本発明は、利用者が所有する記憶媒体や携帯端末等に記憶されている画像データをプリント出力する画像プリント装置、及び画像データのプリント注文を受け付ける注文受付端末に関する。
【背景技術】
【０００２】
デジタルカメラやスマートフォン等で撮影した画像のデジタルデータを読み込んでプリント出力する画像プリント装置が様々な場所に設置されている。例えば、利用者は、デジタルカメラで撮影した画像データが記憶された記憶媒体を持参し、記憶媒体内の画像データを画像プリント装置に読み込ませる。画像プリント装置は、記憶媒体から読み込んだ画像データの画像をサムネイル表示し、利用者に提示する。そして、利用者がプリントする画像を選択し、プリント枚数等を指定すると、画像プリント装置は画像をプリント出力する。
【０００３】
従来の画像プリント装置は、画像データの編集機能を有しており、画像にスタンプを押したり、画像を縁取るフレームを付けたり、手書き文字の書き込みを行ったりすることができる（例えば、特許文献１参照）。サムネイル画面においてプリントする画像を選択し、編集ボタンを押すことで、サムネイル画面から編集画面に切り替わり、選択した画像の編集を行うことができるようになる。
【０００４】
しかし、画像プリント装置の操作に慣れていない利用者は、画像プリント装置に編集機能が備わっていることを知らなかったり、どのような編集ができるのか分からないために編集ボタンを押すことを躊躇したりして、編集機能が利用されていなかった。
【先行技術文献】
【特許文献】
【０００５】
【特許文献１】特開２０１１−２１００１７号公報
【発明の概要】
【発明が解決しようとする課題】
【０００６】
本発明は、上記従来の実状に鑑みてなされたものであり、画像編集機能が利用されやすい画像プリント装置及び注文受付端末を提供することを課題とする。
【課題を解決するための手段】
【０００７】
本発明の一態様による画像プリント装置は、画像データを入力する入力部と、前記画像データを縮小したサムネイル画像を表示する第１表示部と、前記サムネイル画像の選択を含む印刷注文の入力を受け付ける受付部と、画像に合成される複数のフレームを記憶する記憶部と、選択サムネイル画像の画像データから該画像データの特性情報を取得し、該特性情報に基づいて前記記憶部からフレームを抽出する抽出部と、前記抽出されたフレームを表示する第２表示部と、前記印刷注文に基づいて前記画像データを印刷するプリンタと、を備え、前記第２表示部に表示したフレームが選択されると、前記第１表示部は、前記選択サムネイル画像と選択フレームとを合成した合成画像を含む編集画面を表示することを特徴とする。
【０００８】
本発明の一態様による画像プリント装置は、前記第２表示部は、前記サムネイル画像の選択によらずにフレームを表示する第１領域と、前記抽出部により抽出されたフレームを表示する第２領域とを有することが好ましい。
【０００９】
本発明の一態様による画像プリント装置において、前記記憶部に記憶されているフレームには日時情報が対応付けられており、前記抽出部は、前記特性情報として前記画像データから撮影日時を取得し、該撮影日時を日時情報に含むフレームを抽出してもよい。
【００１０】
本発明の一態様による画像プリント装置において、前記記憶部に記憶されているフレームには位置情報が対応付けられており、前記抽出部は、前記特性情報として前記画像データから撮影場所を取得し、該撮影場所を位置情報に含むフレームを抽出してもよい。
【００１１】
本発明の一態様による画像プリント装置において、前記記憶部に記憶されているフレームにはカテゴリ情報が対応付けられており、前記抽出部は、前記画像データのシーン解析処理を行い前記特性情報としてカテゴリを取得し、該カテゴリに対応するフレームを抽出してもよい。
【００１２】
本発明の一態様による画像プリント装置において、前記第２表示部は、前記第１表示部の上方に設けられ、前記第２表示部に表示するフレームに、前記選択サムネイル画像を合成するか否か切り替えてもよい。
【００１３】
本発明の一態様による注文受付端末は、画像データを入力する入力部と、前記画像データを縮小したサムネイル画像を表示する第１表示部と、前記サムネイル画像の選択を含む印刷注文の入力を受け付ける受付部と、画像に合成される複数のフレームを記憶する記憶部と、選択サムネイル画像の画像データから該画像データの特性情報を取得し、該特性情報に基づいて前記記憶部からフレームを抽出する抽出部と、前記抽出されたフレームを表示する第２表示部と、画像データ及び印刷注文を外部へ送信する通信部と、を備え、前記第２表示部に表示したフレームが選択されると、前記第１表示部は、前記選択サムネイル画像と選択フレームとを合成した合成画像を含む編集画面を表示し、前記通信部は編集された画像データを外部へ送信することを特徴とする。
【発明の効果】
【００１４】
本発明によれば、サムネイル画像を第１表示部に表示し、画像が選択されると、選択画像に応じたおすすめフレームを第１表示部とは異なる第２表示部に表示することで、利用者に画像編集機能が認知されやすくなるとともに、フレーム合成に興味を抱かせることができ、画像編集機能が利用されやすくなる。
【図面の簡単な説明】
【００１５】
【図１】本発明の実施形態に係る画像プリント装置のブロック構成図である。
【図２】同実施形態に係る画像プリント装置の概略斜視図である。
【図３】第１タッチパネルのサムネイル画面の一例を示す図である。
【図４】画像選択時の第２タッチパネルの表示画面の一例を示す図である。
【図５】フレーム選択後の第１タッチパネルの編集画面の一例を示す図である。
【図６】画像編集後の第１タッチパネルのサムネイル画面の一例を示す図である。
【図７】同実施形態に係る画像プリント処理を説明するフローチャートである。
【図８】第２タッチパネルのフレーム表示画面の一例を示す図である。
【図９】第２タッチパネルのフレーム表示画面の一例を示す図である。
【図１０】変形例による画像プリント装置の概略斜視図である。
【発明を実施するための形態】
【００１６】
以下、本発明の実施の形態を図面に基づいて説明する。
【００１７】
図１は本実施形態による画像プリント装置のブロック構成図であり、図２は画像プリント装置の概略斜視図である。図１に示すように、画像プリント装置は、第１タッチパネル１０Ａ、第２タッチパネル１０Ｂ、データ入力部１１、課金部１２、プリンタ１３、ＣＰＵ（中央処理部）１４、ディスク装置（記憶部）１５、及びメインメモリ１６を有する。画像プリント装置の各部はバスを介して接続されている。
【００１８】
図２に示すように、第１タッチパネル１０Ａは筐体１の天板１Ａ部分に設けられ、第２タッチパネル１０Ｂは筐体１の上部に設けられている。第１タッチパネル１０Ａへの入力操作を行い易いように、天板１Ａ及び第１タッチパネル１０Ａの画面は、手前側が低く奥側が高くなるようにやや傾斜している。第２タッチパネル１０Ｂのディスプレイ画面は、略垂直に立った状態となっている。
【００１９】
第１タッチパネル１０Ａ及び第２タッチパネル１０Ｂは、画像を含む情報を表示したり、利用者から各種指示の入力を受け付けたりする。第１タッチパネル１０Ａは、画像プリント装置への画像データの入力方法（例えば、記憶媒体の使用、携帯端末からの赤外線通信、又はスマートフォンからの無線通信）選択画面、注意事項の表示画面、プリント出力する画像データの選択やプリント枚数指定などを受け付ける注文画面（図３）、注文内容や請求金額の確認画面等の基本操作画面を表示する。第２タッチパネル１０Ｂは、後述するように、画像に合成可能な複数のフレームを表示する（図４）。
【００２０】
データ入力部１１は、デジタルカメラ等で撮影した画像データが記憶された記憶媒体から画像データを読み取ることで、画像データの入力を受け付ける。データ入力部１１は、様々な記憶媒体に対応したデータ読取装置を有している。また、データ入力部１１は、赤外線通信又は無線通信により携帯端末から画像データの入力を受け付けることができる。図２に示すように、データ入力部１１は筐体１の上部、具体的には筐体１の天板１Ａと第２タッチパネル１０Ｂとの間に設けられている。
【００２１】
図２に示すように、課金部１２は、筐体１の前面側に設けられた硬貨投入口１２Ａ、紙幣投入口１２Ｂ、釣銭返却口１２Ｃを有し、硬貨投入口１２Ａ及び紙幣投入口１２Ｂから投入された貨幣を識別計数し、釣銭を釣銭返却口１２Ｃから放出する。また、課金部１２は、電子マネーによる決済機能を有していてもよい。また、課金部１２は、プリント枚数、単価、請求金額、投入金額、釣銭額等をレシートに印字して出力するレシートプリンタを有していてもよい。
【００２２】
プリンタ１３は、昇華型又はインクジェット型などの高解像度カラープリンタであり、注文内容に基づいて、画像データをプリントして出力する。プリンタ１３は筐体１内に収容されている。プリンタ１３は複数台設置されていてもよい。図２に示すように、筐体１の前面側には、透明な開閉扉２が開閉自在に設けられている。開閉扉２の裏面側には、プリンタ１３がプリント出力したプリント物が集積される集積部（図示せず）が設けられており、開閉扉２を開けると集積部に集積されたプリント物を取り出せるようになっている。
【００２３】
ディスク装置１５は、画像処理プログラム、制御プログラム、及び画像データに対して合成可能な編集アイテムを格納する。ディスク装置１５は例えばハードディスクドライブである。
【００２４】
ＣＰＵ１４は、ディスク装置１５内の画像処理プログラムをメインメモリ１６にロードして、画像処理プログラムを実行する。画像処理プログラムの実行に伴い、メインメモリ１６には、入力された画像データや注文内容などを格納する領域が確保される。
【００２５】
また、ＣＰＵ１４は、ディスク装置１５内の制御プログラムをメインメモリ１６にロードし、制御プログラムを実行することで、第１タッチパネル１０Ａ、第２タッチパネル１０Ｂ、課金部１２及びプリンタ１３を制御する制御部１４０として機能する。
【００２６】
制御部１４０は、データ入力部１１を介して記憶媒体や携帯端末から画像データが入力されると、図３に示すように、画像データを縮小したサムネイル画像を第１タッチパネル１０Ａに表示する。データ入力部１１を介して入力された画像データの数が多い場合は、ページ切替ボタン３１を押下（接触）してページを切り替えることで、全てのサムネイル画像を確認することができる。各サムネイル画像の両側部には拡大ボタン３２及び編集ボタン３３が設けられ、下部には、その画像のプリント枚数を指定するプリント枚数増減ボタン３４が設けられている。
【００２７】
拡大ボタン３２を押下すると、このサムネイル画像を拡大表示することができる。編集ボタン３３を押下すると、第１タッチパネル１０Ａの表示が、この画像を編集する編集画面に切り替わり、フレームやスタンプ等の編集アイテムを画像に合成したり、画像に文字を書き込んだりすることができる。プリント枚数増減ボタン３４を押下すると、各画像のプリント枚数を指定し、印刷注文を入力することができる。
【００２８】
第１タッチパネル１０Ａに表示されているサムネイル画像のいずれか１つを選択（サムネイル画像を押下）すると、第２タッチパネル１０Ｂが、選択された画像に合成可能な複数のフレーム（フレーム画像）を表示する。例えば、図４に示すように、第２タッチパネル１０Ｂには、フレームをカテゴリ別に表示する通常領域４０と、画像プリント装置が第１タッチパネル１０Ａで選択された画像への合成に適すると判断したおすすめフレームを表示する連動領域５０とが設けられる。
【００２９】
通常領域４０には、カテゴリ選択ボタン４６が設けられている。カテゴリ選択ボタン４６には、例えば、「Ｈｏｌｉｄａｙｓ（休日）」「Ｋｉｄｓ（子供）」「Ｗｅｄｄｉｎｇ（結婚）」「Ｂａｂｙ（赤ちゃん）」「Ｃｌａｓｓｉｃ（クラシック）」「Ａｌｌ（全て）」を選択するボタンがあり、いずれか１つを選択（タブ切り替え）すると、選択されたカテゴリに対応する複数のフレーム４２が通常領域４０に表示される。画像プリント装置には多種類のフレームが準備されており、ページ切替ボタン４４で通常領域４０のページを切り替えながらフレーム４２を確認することができる。
【００３０】
連動領域５０に表示されるおすすめフレーム５２は、制御部１４０が、ディスク装置１５に格納されているフレームの中から、利用者が第１タッチパネル１０Ａで選択した画像に基づいて抽出したものである。おすすめフレームの抽出方法については後述する。
【００３１】
ディスク装置１５に格納されているフレーム（フレームデータ）には、フレームの名称、カテゴリ、ＧＰＳ位置情報、日時情報などが定義されている。フレームに定義されているカテゴリは、「Ｋｉｄｓ（子供）」「Ｗｅｄｄｉｎｇ（結婚）」、「クリスマス」などであり、通常領域４０のカテゴリ選択ボタン４６に対応したものである。１つのフレームに複数のカテゴリが割り当てられていてもよい。
【００３２】
ＧＰＳ位置情報は、フレームに関する緯度経度の範囲を示す。例えば、フレームが星条旗をモチーフとしたものである場合、このフレームのＧＰＳ位置情報はアメリカ合衆国の国土に対応したものとなる。
【００３３】
日時情報は、日付の範囲を示す。例えば、ハート形状を含むフレームは、バレンタインデーやホワイトデーの前後で使用されることが多いため、このフレームの日時情報には、バレンタインデーやホワイトデーの前後１週間（２月７日〜２月２１日、３月７日〜３月２１日）が設定される。また、太陽、団扇、スイカ、向日葵などのイラストを含むフレームは、夏季に使用されることが多いため、このフレームの日時情報には、７月１日〜８月３１日が設定される。
【００３４】
制御部１４０は、利用者が第１タッチパネル１０Ａでサムネイル画像を選択すると、選択した画像の画像データから特性情報を取得し、この特性情報を用いて、ディスク装置１５からおすすめフレームを抽出する。制御部１４０は、特性情報として、撮影日、撮影場所、又はカテゴリを取得する。
【００３５】
制御部１４０は、画像データの特性情報として撮影日を取得すると、取得した撮影日を日時情報に含むフレームをディスク装置１５から抽出し、おすすめフレーム５２として連動領域５０に表示する。これにより、例えば、利用者が、バレンタインデーに撮影した画像を第１タッチパネル１０Ａで選択した場合、撮影日に連動して、連動領域５０にはハート形状を含むフレームが表示される。
【００３６】
制御部１４０は、画像データの特性情報として撮影場所（ＧＰＳ位置情報）を取得すると、取得した撮影場所をＧＰＳ位置情報に含むフレームをディスク装置１５から抽出し、おすすめフレーム５２として連動領域５０に表示する。これにより、例えば、利用者が、アメリカ旅行で撮影した画像を第１タッチパネル１０Ａで選択した場合、撮影場所に連動して、連動領域５０には星条旗をモチーフにするフレームが表示される。
【００３７】
また、制御部１４０は、画像データのシーン解析処理を行い、海岸、夜景、雪景色といった撮影シーンを判別したり、人物や顔を検出し、性別、年齢、表情、姿勢、服装、人数、整列等を判別したりして、画像データの特性情報としてカテゴリを取得すると、取得したカテゴリに対応するフレームをディスク装置１５から抽出し、おすすめフレーム５２として連動領域５０に表示する。これにより、例えば、利用者が、結婚式で撮影した画像を第１タッチパネル１０Ａで選択した場合、カテゴリに連動して、連動領域５０には「Ｗｅｄｄｉｎｇ（結婚）」に関するフレームが表示される。
【００３８】
このように、連動領域５０には、利用者による第１タッチパネル１０Ａ上での画像選択に連動して、選択された画像の撮影日、撮影場所、又はカテゴリといった特性情報に基づくおすすめフレーム５２が表示される。利用者が第１タッチパネル１０Ａ上で選択画像を切り替えると、通常領域４０に表示されるフレーム４２は変わらず、連動領域５０に表示されるおすすめフレーム５２が順次切り替わる。おすすめフレーム５２が多数ある場合は、ページ切替ボタン５４で連動領域５０のページを切り替えながらおすすめフレーム５２を確認することができる。
【００３９】
第２タッチパネル１０Ｂの通常領域４０に表示されているフレーム４２又は連動領域５０に表示されているおすすめフレーム５２が利用者により選択されると、第１タッチパネル１０Ａは図５に示すような編集画面を表示する。編集画面では、編集画面に切り替わる前のサムネイル画面で選択されていた画像と、第２タッチパネル１０Ｂで選択されたフレームとが合成された編集対象画像６０が表示される。
【００４０】
図５に示すように、第１タッチパネル１０Ａの中央に編集対象画像６０が配置され、そのまわりには編集操作の指示を行うための編集アイテムのボタン類が配置される。編集対象画像６０の左側には、画像編集加工に許容されている残り時間Ｔが表示され、下側には画像の位置調整や色調整を行う調整ボタン６７が表示され、右側には、画像を部分的に消す消しゴムツール６３、各編集加工処理を元に戻すボタン６４、注文枚数増減ボタン６１が表示される。また、第１タッチパネル１０Ａの右下部には編集加工処理の完了指示を入力する完了ボタン６６が設けられ、左下部には全ての編集加工を無効にするキャンセルボタン６５が設けられる。
【００４１】
さらに、編集対象画像６０の左側には画像６０の上に線描写や図形描写の操作指示を行うための描写ツールボタン６２が設けられる。描写ツールボタン６２には、例えば、「ペン」、「スタンプ」、「コロコロスタンプ」、「フレーム」を選択するボタンがあり、いずれか１つを選択すると、選択された描写ツールに対応する複数の編集アイテムが第２タッチパネル１０Ｂに表示される。
【００４２】
利用者が「ペン」を選択すると、第２タッチパネル１０Ｂにペン先の色やテクスチャ等の一覧が編集アイテムとして表示され、それぞれを選択した後に、第１タッチパネル１０Ａの画像６０の任意の位置を指定して描くことで、画像６０の上に自由に線描することができる。
【００４３】
利用者が「スタンプ」を選択すると、第２タッチパネル１０Ｂに様々な模様や図形の画像等が編集アイテムとして表示され、そのうちの１つの画像を選択した後に、第１タッチパネル１０Ａの画像６０の任意の位置を指定すると、指定した位置に選択した画像が付加（スタンプ）される。第２タッチパネル１０Ｂにおいて、スタンプサイズを選択することができる。また、利用者が、画像６０上にスタンプを配置したあとに、スタンプ画像を回転したり、左右に反転したりすることができる。
【００４４】
「コロコロスタンプ」は、ローラー型スタンプの効果を生じるもので、「スタンプ」と同様に、利用者が１つの画像（編集アイテム）を選択した後に、画像６０の任意の位置を指定することによりその位置にスタンプ画像が置かれ、そこから任意の方向にスタンプを引きずると、ローラー型スタンプが回転するのと同様の効果でスタンプ画像が繰り返し付けられる。
【００４５】
「フレーム」は上述したものであり、利用者が「フレーム」を選択すると、第２タッチパネル１０Ｂに複数のフレームが表示される。このとき、フレームは図４のようなレイアウトで表示されていてもよいし、図４とは異なるレイアウトで表示されてもよい。
【００４６】
利用者が画像編集加工を行い、完了ボタン６６を押下した後の第１タッチパネル１０Ａの表示画面を図６に示す。図６は、編集加工後のサムネイル画面を示し、編集された画像Ｐには、編集加工された状態が表示される。利用者が持参した入力画像から編集加工が加えられた場合、サムネイル画面には、入力画像はそのままに、編集加工した画像が別の画像として一覧に加えられ、編集済みマーク３５が付加される。
【００４７】
このように、本実施形態による画像プリント装置では、第１タッチパネル１０Ａのサムネイル画面（注文画面）において、利用者がプリント注文する画像を選択すると、画像に合成可能なフレームを第２タッチパネル１０Ｂに表示する。利用者は、編集ボタン３３を押さずに、どのようなフレームが合成できるかを知ることができる。また、第２タッチパネル１０Ｂに表示されているフレームを選択すると、第１タッチパネル１０Ａの表示が編集画面に自動的に切り替わる。そのため、画像プリント装置に編集機能が備わっていることを知らなかったり、どのような編集ができるのか分からないために編集加工を行うことを避けたりしていた利用者を、画像編集処理に誘導することができ、編集機能を利用しやすくすることができる。
【００４８】
利用者がプリント注文する画像を選択する際に、第１タッチパネル１０Ａにフレームを表示すると、サムネイル画像の表示領域が狭くなり、サムネイル画像の表示数が少なくなったり、表示サイズが小さくなったりして注文操作の妨げになり得るが、本実施形態では第１タッチパネル１０Ａとは異なる第２タッチパネル１０Ｂにフレームを表示するため、フレームを表示してもサムネイル画面（注文画面）へ影響を与えずに、注文操作を継続して行うことができる。また、フレームの表示に第２タッチパネル１０Ｂ全体を使用することができるため、１つ１つのフレームを大きく表示でき、フレームのデザインが確認し易い。
【００４９】
また、第２タッチパネル１０Ｂの連動領域５０には、利用者が注文画面で選択した画像データの撮影日時、撮影場所、カテゴリ等の特性情報に基づいて選定されたおすすめフレームが表示される。このおすすめフレームは、利用者が選択した画像へ合成するのに適したものであり、利用者に、編集機能（フレーム合成）への興味をさらに抱かせるものとなる。
【００５０】
上述した第１タッチパネル１０Ａ及び第２タッチパネル１０Ｂの表示制御は制御部１４０により行われる。また、制御部１４０は、画像データの編集加工を行う編集部としての機能、第１タッチパネル１０Ａを介した印刷注文の入力を受け付ける受付部としての機能、及び選択画像の画像データから特性情報を取得し、取得した特性情報を用いてディスク装置１５からおすすめフレームを抽出する抽出部としての機能を有する。
【００５１】
次に、図７に示すフローチャートを用いて、本実施形態に係る画像プリントの処理の流れを説明する。
【００５２】
（ステップＳ１０１）データ入力部１１が画像データの入力を受け付ける。
【００５３】
（ステップＳ１０２）第１タッチパネル１０Ａのディスプレイに、画像データを縮小したサムネイル画像が表示される。
【００５４】
（ステップＳ１０３）利用者がプリント注文する画像を選択する。
【００５５】
（ステップＳ１０４）制御部１４０が、ステップＳ１０３で選択された画像の画像データから特性情報を取得し、この特性情報を用いて、ディスク装置１５からフレームを抽出する。例えば、画像データの特性情報として撮影日を取得し、取得した撮影日を日時情報に含むフレームをディスク装置１５から抽出する。または、画像データの特性情報として撮影場所（ＧＰＳ位置情報）を取得し、取得した撮影場所をＧＰＳ位置情報に含むフレームをディスク装置１５から抽出する。あるいはまた、制御部１４０は、シーン解析処理を行い、画像のカテゴリを判別し、このカテゴリに対応するフレームをディスク装置１５から抽出する。
【００５６】
制御部１４０は、特性情報に基づいてディスク装置１５からフレームをおすすめフレーム５２として第２タッチパネル１０Ｂの連動領域５０に表示する。また、制御部１４０は、第２タッチパネル１０Ｂの通常領域４０にフレーム４２をカテゴリ別に表示する。
【００５７】
連動領域５０のおすすめフレーム５２はステップＳ１０３の画像選択に伴い（連動して）表示されるが、通常領域４０では、ステップＳ１０３の画像選択前、例えばステップＳ１０２で第１タッチパネル１０Ａにサムネイル画面を表示するとともにフレーム４２を表示するようにしてもよい。
【００５８】
（ステップＳ１０５）利用者が第２タッチパネル１０Ｂに表示されたフレーム４２又はおすすめフレーム５２を選択した場合は、ステップＳ１０７へ進む。フレーム選択を行わない場合はステップＳ１０６へ進む。
【００５９】
（ステップＳ１０６）ステップＳ１０３で選択した画像の編集を行う場合は、編集ボタン３３を押下してステップＳ１０７へ進む。行わない場合はステップＳ１０９へ進む。
【００６０】
（ステップＳ１０７）制御部１４０が、第１タッチパネル１０Ａの表示画面を編集画面（図５参照）に切り替える。利用者がステップＳ１０５でフレームを選択していた場合は、編集画面には、選択フレームが予め合成された編集対象画像６０が表示される。利用者は、編集画面において、ペンやスタンプ等による線描写、図形描写等を行うことができる。
【００６１】
（ステップＳ１０８）編集加工処理が完了した場合は、第１タッチパネル１０Ａの編集画面の完了ボタン６６を押下し、ステップＳ１０９へ進む。
【００６２】
（ステップＳ１０９）プリント枚数増減ボタン３４を押下してプリント枚数を入力する。
【００６３】
（ステップＳ１１０）注文が完了した場合はステップＳ１１１に進む。注文を続ける場合はステップＳ１０３に戻る。
【００６４】
（ステップＳ１１１）利用者からの注文内容に基づく請求金額が第１タッチパネル１０Ａに表示される。利用者が貨幣を投入すると、課金部１２は投入された貨幣を計数し、釣銭の出金やレシートの印字等を行う。
【００６５】
（ステップＳ１１２）制御部１４０が、プリンタ１３に、注文内容に基づく画像データのプリントを実行させる。
【００６６】
以上のように、本実施形態による画像プリント装置は、第１タッチパネル１０Ａのサムネイル画面（注文画面）において、利用者がプリント注文する画像を選択すると、選択画像への合成に適したおすすめフレームを含む複数のフレームを第２タッチパネル１０Ｂに表示する。利用者は、編集ボタン３３を押さずに、フレームの合成について知ることができ、画像プリント装置の機能に詳しくない利用者にも、編集機能を利用しやすくすることができる。また、第２タッチパネル１０Ｂの連動領域５０には、利用者が選択した画像データの撮影日時、撮影場所、カテゴリ等の特性情報に基づいて選定されたおすすめフレームを表示するため、利用者に、編集機能への興味をさらに抱かせることができる。
【００６７】
上記実施形態では、筐体１内にプリンタ１３を備え、その場でプリント物を出力する画像プリント装置について説明したが、プリンタ１３を省略し、プリント注文の受け付けを行う注文受付端末としてもよい。この場合、注文受付端末には、プリント注文された画像データ及び注文内容を、有線又は無線ネットワークを介してプリンタサーバへ送信する通信部が設けられる。利用者は郵送等によってプリント物を受け取る。
【００６８】
第２タッチパネル１０Ｂでフレーム４２及びおすすめフレーム５２を表示する際、フレーム画像のみを表示してもよいし、フレーム画像にダミー画像を合成して表示してもよいし、利用者が第１タッチパネル１０Ａの注文画面で選択した画像を合成して表示してもよい。フレーム画像にダミー画像を合成することで、フレーム合成後の画像をイメージし易くなる。また、フレーム画像に、実際に利用者が選択した画像を合成することで、フレーム合成後の画像がさらにイメージし易くなる。
【００６９】
ただし、図２に示すように、第２タッチパネル１０Ｂは、筐体１の上部に設けられ、そのディスプレイ画面は略垂直に立った状態となっているため、周囲から見られやすく、利用者が、自身の撮影画像を第２タッチパネル１０Ｂに表示することを望まない場合もある。そのため、例えば、図８に示すように、第２タッチパネル１０Ｂに、選択画像を合成してフレームを表示するか否か切り替える合成オン／オフ切替ボタン７０を設け、フレーム４２及びおすすめフレーム５２に、選択画像を合成して表示するか、又はフレーム画像のみを表示するかを切り替えられるようにしてもよい。
【００７０】
上述したように、ディスク装置１５からのおすすめフレーム５２の抽出には、撮影日、撮影場所、カテゴリ等の複数の条件がある。そのため、図９に示すように、連動領域５０に条件選択ボタン５６を設け、いずれか１つが選択（タブ切り替え）されると、選択された条件に基づくおすすめフレーム５２が表示されるようにしてもよい。
【００７１】
おすすめフレーム５２は、利用者が選択した画像データの特性情報に基づいてディスク装置１５から抽出されたものに限定されず、各フレームの使用回数を集計し、直近数日間又は数週間での使用頻度の高いフレームをおすすめフレーム５２としてもよい。あるいはまた、最新のフレームをおすすめフレーム５２とするように、画像プリント装置の設置者側で任意に設定できるようにしてもよい。
【００７２】
上記実施形態では、第１タッチパネル１０Ａに注文画面を表示している際に、第２タッチパネル１０Ｂにおすすめフレームを含む複数のフレームを表示していたが、スタンプなど他の編集アイテムを表示してもよい。例えば、第２タッチパネル１０Ｂにスタンプ及びおすすめスタンプを表示することで、利用者は編集画面を開かなくても、選択画像に付加できるスタンプについて知ることができ、編集機能が利用しやすくなる。
【００７３】
上記実施形態では、第１タッチパネル１０Ａ及び第２タッチパネル１０Ｂの上下に配置された２つのタッチパネルを備える構成について説明したが、１つの大型タッチパネルの表示領域を上下に二分し、下側を第１タッチパネル１０Ａ、上側を第２タッチパネル１０Ｂのように機能させてもよい。例えば、図１０に示すように、筐体１の上部から利用者の手元側まで延びる天板１Ｂの平坦な傾斜面に大型のタッチパネル１０Ｃを設け、タッチパネル１０Ｃの上側と下側とを個別に表示制御する。この場合、データ入力部１１は、例えば筐体１の前面側に設けられる。また、横長の大型タッチパネルの表示領域を左右に二分し、一方を第１タッチパネル１０Ａ、他方を第２タッチパネル１０Ｂのように機能させてもよい。
【００７４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７５】
１  筐体
１Ａ  天板
２  開閉扉
１０Ａ  第１タッチパネル
１０Ｂ  第２タッチパネル
１１  データ入力部
１２  課金部
１３  プリンタ
１４  ＣＰＵ
１５  ディスク装置
１６  メインメモリ
４０  通常領域
５０  連動領域
６０  編集対象画像
【図１】
0006331781.tif 000002
【図２】
0006331781.tif 000003
【図３】
0006331781.tif 000004
【図４】
0006331781.tif 000005
【図５】
0006331781.tif 000006
【図６】
0006331781.tif 000007
【図７】
0006331781.tif 000008
【図８】
0006331781.tif 000009
【図９】
0006331781.tif 000010
【図１０】
0006331781.tif 000011